(57)【要約】【課題】  外出の際などに簡単に着用することができるとともに、首回り及び腕の日焼けを防止することができる日焼け防止用着衣を提供すること。【解決手段】  紫外線の透過を抑制する布地から形成された日焼け防止用着衣。この日焼け防止用着衣は、前から胸を覆うための胸被覆部２と、胸被覆部２の上端部に設けられた首被覆部４と、胸被覆部２の両側部から両側に延びる袖部６，８とを有し、背面側から両腕を袖部６，８を通して着用する。首被覆部４は、胸被覆部２の上端部に着脱自在に取り付けられる第１及び第２首被覆部２４，２６を有し、第１及び第２首被覆部２４，２６の両端部が着脱自在に装着される。【選択図】  図１
2007321251.tif 000002
【特許請求の範囲】
【請求項１】
紫外線の透過を抑制する布地から形成された日焼け防止用着衣であって、前から胸を覆うための胸被覆部と、前記胸被覆部の上端部に設けられた首被覆部と、前記胸被覆部の両側部から両側に延びる袖部とを有し、背面側から両腕を前記袖部を通して着用することを特徴とする日焼け防止用着衣。
【請求項２】
前記首被覆部は、前記胸被覆部の上端部に着脱自在に取り付けられる第１及び第２首被覆部を有し、前記第１及び第２首被覆部の両端部が着脱自在に装着されることを特徴とする請求項１に記載の日焼け防止用着衣。
【請求項３】
前記袖部の先端部には、手首及び手甲を覆うための手甲被覆部が設けられていることを特徴とする請求項１又は２に記載の日焼け防止用着衣。
【請求項４】
前記手甲被覆部には、止め部を設けることによって、一対の指用開口が設けられ、前記一対の指用開口の一方に親指が挿通され、それらの他方の指用開口に残りの四指が挿通されることを特徴とする請求項１〜３のいずれかに記載の日焼け防止用着衣。
【請求項５】
前記手甲被覆部の側部には指用開口が設けられ、前記指用開口に親指が挿通され、前記手甲被覆部に残りの四指が挿通されることを特徴とする請求項１〜３のいずれかに記載の日焼け防止用着衣。
【請求項６】
前記袖部の上端部には、袖丈を調整するための第１伸縮部が設けられていることを特徴とする請求項１〜５のいずれかに記載の日焼け防止用着衣。
【請求項７】
前記袖部と前記手甲被覆部との接続部には、袖口の着用位置を調整するための第２伸縮部が設けられていることを特徴とする請求項６に記載の日焼け防止用着衣。
【請求項８】
前記胸被覆部には、下端から前記首被覆部に向けて上方に延びるスリットが設けられていることを特徴とする請求項１〜７のいずれかに記載の日焼け防止用着衣。
【発明の詳細な説明】
【技術分野】
【０００１】
本発明は、太陽からの紫外線による日焼けを防止するために着用する日焼け防止用着衣に関する。
【背景技術】
【０００２】
夏季などの気温が高い季節では、着用する衣服が薄くなるとともに、首回り、腕などを広く露出するものが着用されるようになる。このような衣類を着用すると、太陽からの紫外線が直接的に皮膚に当たり、皮膚が日焼けをするようになる。この日焼けは、色白を好む女性にとっては美容上大きな問題となり、またこの日焼けはシミ、あざ、皮膚がんなどの原因となる。このようなことから、紫外線を遮断する効果のある布地を用いた各種日焼け防止用着衣が提案されている。
【０００３】
日焼け防止用衣類の一例として、胸部から腹部を覆う胴衣部と、この胴衣部の上部開口部に縫い付けられた襟部とを備え、この襟部が、首の前側から頬骨部分に沿って耳元までを覆う首被覆部と、耳元から耳全体を覆い、更に頭部周方向に沿って後頭部を覆う後頭部被覆部を有している（例えば、特許文献１参照）。この日焼け防止用衣類では、襟部が首の前側から耳を通って後頭部までを覆うので、首から首筋までの日焼けを防止することができる。
【０００４】
また、日焼け防止用衣類の他の例として、腕及び手甲を覆う日焼け防止用腕カバーが提案されている（例えば、特許文献２参照）。この腕カバーは腕から手甲までを覆うので、これらの領域の日焼けを防止することができる。
【０００５】
【特許文献１】特開２０００−３１４０２３号公報
【特許文献２】特開２０００−３５５８１１号公報
【発明の開示】
【発明が解決しようとする課題】
【０００６】
しかしながら、上述した日焼け防止用衣類では、次の通りの解決すべき問題がある。例えば特許文献１の日焼け防止用衣類では、胴衣部は例えば前ボタンとなっており、着用する際には、着用者の首を胴衣部の上端部開口を通してかぶるようにして着用するために、着用した状態では襟部によって首から後頭部までを所要の通りに覆って日焼けを防止することができるが、かぶり形態の衣類であるために、その着脱が煩雑であり、例えば車の運転席に座った状態で着用しようとすると煩雑となる問題がある。また、手甲などを覆っていないために、手甲などをの日焼けを防止しようとすると、手袋などを別個に必要とし、利便性に欠けるという問題がある。
【０００７】
また、例えば特許文献２の日焼け防止用衣類では、腕カバーによって腕及び手甲を覆ってこれらの日焼けを防止することができるが、首などの日焼け防止には全く機能しないという問題がある。
【０００８】
本発明の目的は、外出の際などに簡単に着用することができるとともに、首回り及び腕の日焼けを防止することができる日焼け防止用着衣を提供することである。
また、本発明の他の目的は、手先が不自由にないようにして手首及び手甲の日焼けを防止することができる日焼け防止用着衣を提供することである。
【課題を解決するための手段】
【０００９】
本発明の請求項１に記載の日焼け防止用着衣は、紫外線の透過を抑制する布地から形成された日焼け防止用着衣であって、前から胸を覆うための胸被覆部と、前記胸被覆部の上端部に設けられた首被覆部と、前記胸被覆部の両側部から両側に延びる袖部とを有し、背面側から両腕を前記袖部を通して着用することを特徴とする。
【００１０】
また、本発明の請求項２に記載の日焼け防止用着衣では、前記首被覆部は、前記胸被覆部の上端部に着脱自在に取り付けられる第１及び第２首被覆部を有し、前記第１及び第２首被覆部の両端部が着脱自在に装着されることを特徴とする。
【００１１】
また、本発明の請求項１に記載の日焼け防止用着衣では、前記袖部の先端部には、手首及び手甲を覆うための手甲被覆部が設けられていることを特徴とする。
また、本発明の請求項４に記載の日焼け防止用着衣では、前記手甲被覆部には、止め部を設けることによって、一対の指用開口が設けられ、前記一対の指用開口の一方に親指が挿通され、それらの他方の指用開口に残りの四指が挿通されることを特徴とする。
【００１２】
また、本発明の請求項５に記載の日焼け防止用着衣では、前記手甲被覆部の側部には指用開口が設けられ、前記指用開口に親指が挿通され、前記手甲被覆部に残りの四指が挿通されることを特徴とする。
【００１３】
また、本発明の請求項６に記載の日焼け防止用着衣では、前記袖部の上端部には、袖丈を調整するための第１伸縮部が設けられていることを特徴とする。
また、本発明の請求項７に記載の日焼け防止用着衣では、前記袖部と前記手甲被覆部との接続部には、袖口の着用位置を調整するための第２伸縮部が設けられていることを特徴とする。
【００１４】
更に、本発明の請求項８に記載の日焼け防止用着衣では、前記胸被覆部には、下端から前記首被覆部に向けて上方に延びるスリットが設けられていることを特徴とする。
【発明の効果】
【００１５】
本発明の請求項１に記載の日焼け防止用着衣によれば、胸被覆部、首被覆部及び袖部を有しているので、着用した状態においては、この着衣によって着用者の胸、首及び腕が覆われ、かくして、着用者の胸、首及び腕の日焼けを防止することができ、特に運転時の日焼けを防止するためのものとして好都合に用いることができる。また、着用する際には、その背面側から着用者の両腕を両袖部を通して着用するようになるので、着用している服装に関係なく簡単に着用することができる。更に、後身頃が広く開いた形態となるので、通気性がよく、また暑苦しさも少なく、非常に着用し易いものとなる。
【００１６】
また、本発明の請求項２に記載の日焼け防止用着衣によれば、首被覆部は胸被覆部の上端部に着脱自在に取り付けられるので、首被覆部を外すことによって、両腕の日焼け防止用として用いることができる。また、首被覆部は第１及び第２首被覆部を有しているので、第１及び第２首被覆部を別個に胸被覆部から取り外すことができ、第１首被覆部によって首の片側を、また第２首被覆部によって首の他側を覆ってその日焼けを防止することができる。
【００１７】
また、本発明の請求項３に記載の日焼け防止用着衣によれば、袖部の先端部に手甲部が設けられているので、この手甲部によって手甲を覆うことができ、手甲の日焼けを防止することができる。
【００１８】
また、本発明の請求項４に記載の日焼け防止用着衣によれば、手甲被覆部には一対の指用開口が設けられ、これら指用開口の一方に親指が挿通され、それらの他方に残りの四指が挿通されるので、指を自由に動かせることができ、例えば車の運転時においてもハンドルが握りやすくて自由に回転操作することができ、また金銭授受の際にも妨げとなることはない。
【００１９】
また、本発明の請求項５に記載の日焼け防止用着衣によれば、手甲被覆部の側部に指用開口が設けられ、この指用開口に親指が挿通され、手甲被覆部に残りの四指が挿通されるので、この場合においても上述したと同様に指を自由に動かせることができ、例えば車の運転時においてもハンドルが握りやすく、また金銭授受の際にも妨げとなることはない。
【００２０】
また、本発明の請求項６に記載の日焼け防止用着衣によれば、袖部の上端部に第１伸縮部が設けられているので、袖丈を自由に調整することができ、着用者の腕の長さに関係なく腕を所要の通りに覆うことができる。
【００２１】
また、本発明の請求項７に記載の日焼け防止用着衣によれば、袖部と手甲被覆部との接続部に第２伸縮部が設けられているので、袖口の着用位置を自由に調整することができ、これによって、手甲被覆部によって手甲を所要の通りに覆うことができる。
【００２２】
更に、本発明の請求項８に記載の日焼け防止用着衣によれば、胸被覆部には下端から首被覆部に向けて上方に延びるスリットが設けられているので、着用した衣服の上に羽織るように簡単に着用することができ、半袖の服、袖のない服、首回りが広く開いた服、ワイシャツなどであっても対応して簡単に着用することができる。
【発明を実施するための最良の形態】
【００２３】
以下、添付図面を参照して、本発明に従う日焼け防止用着衣の一実施形態について説明する。図１は、一実施形態の日焼け防止用着衣を示す正面図であり、図２は、図１の日焼け防止用着衣を示す背面図であり、図３は、図１の日焼け防止用着衣から首被覆部を取り外した状態を示す正面図であり、図４は、図１の日焼け防止用着衣の手甲被覆部及びその近傍を示す斜視図であり、図５（ａ）は、図４の手甲被覆部を示す部分斜視図であり、図５（ｂ）は、図４の手甲被覆部の作り方を説明するための部分斜視図であり、図６は、変形形態の手甲被覆部及びその近傍を示す斜視図であり、図７は、図６の手甲被覆部を示す部分斜視図であり、図８は、図１の日焼け防止用着衣の首被覆部を一部外した状態で示す斜視図であり、図９は、図８の首被覆部を展開して示す展開図であり、図１０は、首被覆部の一部を断面で示す断面図である。
【００２４】
図１及び図２において、図示の日焼け防止用着衣は、着衣者の胸を前側から覆うための胸被覆部２と、着衣者の首を覆うための首被覆部４と、胸被覆部２の両側部から両側に延びる袖部６，８を備えている。胸被覆部２は、胸の全面を覆う胸被覆本体部１０と、この胸被覆本体部１０の上端部から両肩を覆うように背中側に延びる肩被覆部１２，１４を有し、胸被覆本体部１０の身頃丈はウエスト位置又はウエスト位置よりも幾分短い丈に形成され、このような丈にすることによって、着用者の胸の全面側を所要の通りに覆うことができる。このような着衣（胸被覆部２、首被覆部６及び袖部６，８）は、日焼け防止用に用いるので、太陽からの紫外線を通過を抑制する布地から形成される。
【００２５】
胸被覆部２の胸被覆本体部１０には、その下端から首被覆部４に向けて上方に延びるＶ字状のスリット１５が設けられており、このようにスリット１５を設けることによって、容易に着用することができるとともに、着用した状態において動き易くなる。
【００２６】
胸被覆部２の肩被覆部１２，１４は背中側に延びているが、両肩被覆部１２，１４間はＶ字状に大きく開いており、このように大きく開くことによって、背面側からの通気性が確保され、着用時の蒸れなどを解消することができる。また、このように開くことに関連して、両肩被覆部１２，１４の上端部の内側部位に装着部１６，１８が設けられ、これら装着部１６，１８に面ファスナー２０，２２が取り付けられている。従って、面ファスナー２０，２２を着脱自在に装着すると、両肩被覆部１２，１４の両端部が装着部１６，１８を介して装着され、両肩被覆部１２，１４が両側に大きく開いて脱げそうになるのを防止することができる。
【００２７】
この実施形態では、首被覆部６は第１及び第２首被覆部２４，２６から構成され、第１及び第２首被覆部２４，２６が胸被覆部２の上端部に着脱自在に取り付けられるように構成されている。この実施形態では、第１首被覆部２４は首の右側（着用状態において首の右側）を覆うように設けられ、第２首被覆部２６は首の左側（着用状態において首の「左側）を覆うように設けられる。
【００２８】
図３、図８及び図９をも参照して、この実施形態では、胸被覆部２の上端部には複数のボタン穴３０が設けられ、また第１及び第２首被覆部２４，２６の下端部には、上記ボタン穴３０に対応して複数のボタン３２が取り付けられている。第１及び第２首被覆部２４，２６を取り外すと、図３に示す状態となり、第１及び第２胸被覆部２４，２６の上端部は首元に位置し、着用者の首は胸被覆部２の上端開口３４を通して上方に延び、着用者の首は覆われることはない。また、第１及び第２首被覆部２４，２６のボタン３２を胸被覆部２のボタン穴３０に装着すると、図１及び図２に示すように、第１及び第２首被覆部２４，２６が胸被覆部２に装着される。この装着状態においては、第１及び第２首被覆部２４，２６が胸被覆部２の上端部から上方に延び、着用者の首の周囲を覆うようになる。尚、ボタン穴３０及びボタン３２に代えて、ファスナーを取り付けて着脱自在に取り付けるようにしてもよい。
【００２９】
この形態では、第１及び第２首被覆部２４、２６の一端部に面ファスナー３６，３８が設けられ、またそれらの他端部に面ファスナー４０，４２が設けられている。面ファスナー３６，３８を装着することにより、第１及び第２首被覆部２４，２６の一端部が接続され、また面ファスナー４０，４２を装着することにより、それらの他端部が接続され、このように装着することによって、着用者の首の周囲を覆う。第１及び第２首被覆部２４，２６は別個に取付け可能であるので、図８に示すように、第１首被覆部２４（又は第２首被覆部２６）のみを装着することによって、着用者の首の右側（又は左側）を覆うことができる。尚、この首被覆部４は、第１及び第２首被覆部２４，２６から構成することに代えて、一つのものから構成するようにしてもよい。
【００３０】
この首被覆部４（第１及び第２首被覆部２４，２６）には、図８及び図１０に示すように、所定部位にゴム内臓部４６を設けるのが好ましい。このゴム内臓部４６はゴム４６を内側に配設して縫い付けることによって形成することができ、このようにゴム内臓部４６を設けることによって、着用状態において、首被覆部４（第１及び第２首被覆部２４，２６）を首に沿わすことができる。
【００３１】
次に、図１及び図２とともに図４及び図５を参照して袖部６，８について説明する。袖部６，８は手を通して着するように筒状に形成され、その一端部が胸被覆部２の側部に縫い付けられている。一方の袖部６は胸被覆部２の一側部（装着状態において右側部）から外側に延び、着用者の右腕を覆い、また他方の袖部８は胸被覆部２の他側部（装着状態において左側部）から外側に延び、着用者の左腕を覆う。これら袖部６，８の構成は実質上同一であり、以下それらの一方の袖部６について説明する。
【００３２】
この実施形態では、袖部６（８）の先端部には、着用者の手甲を覆うための手甲被覆部５０（５２）が設けられている。手甲被覆部５０（５２）は袖部６（８）から連続的に延びており、袖部６（８）から延びる先端部５４が裏側に折り返して重ね合わされ、この重ね合わせ部分が部位５６にて縫い付けられて二重構造になっている。このように二重構造にすることによって、紫外線の通過が抑制され、自動車の運転時に日焼けし易い手甲の日焼けを防止することができる。
【００３３】
この形態では、手甲被覆部５０（５２）の先端部の対向する部位が縫い合わされて接続され、かく接続部５８を設けることによって、手甲被覆部５０（５２）の先端に一対の指用開口６０，６２が設けられる。一方の指用開口６０は小さく、この指用開口６０には親指が挿通され、また他方の指用開口６２は大きく、この指用開口６２には残りの四指が挿通される（図４参照）。このように構成することによって、手甲を覆った状態にて指を自由に動かすことができ、車の運転時においてもハンドルを自由に回転操作することができる。
【００３４】
手甲被覆部は、図６及び図７に示すように構成することもできる。図６及び図７において、この変形形態では、手甲被覆部５０Ａの一側部にスリットを形成することによって、指用開口６４が設けられている。この手甲被覆部５０Ａにおいては、指用開口６４を通して親指が挿通され、また手甲被覆部５０Ａの先端開口を通して残りの四指が挿通される（図６参照）。このように構成しても、上述した実施形態と同様に、手甲を覆った状態にて指を自由に動かすことができ、運転時におけるハンドル操作も自由に行うことができる。
【００３５】
このような日焼け防止用着衣においては、袖部６，８の上端部（例えば、袖部６，８と胸被覆部１０との接続部）に、伸縮自在な第１伸縮部６６を設けるのが好ましい。この第１伸縮部６６は、袖部６，８内にゴム（図示せず）を環状に通すことによって形成され、ゴムの伸縮を利用して径方向に伸縮自在となる。このように構成することによって、この第１伸縮部６６が着用者の上腕に適度にフィットし、着用状態において袖部６，８の袖丈を自由に調整することができる。
【００３６】
また、袖部６，８と手甲被覆部５０，５２との接続部に、伸縮自在な第２伸縮部６８を設けるのが好ましい。この第２伸縮部６８は、第１伸縮部６６と同様の構成でよく、かかる接続部にゴム（図示せず）を環状に通すことによって形成される。このように構成することによって、この第２伸縮部６８が着用者の手首に適度にフィットし、着用状態において袖口の着用位置を自由に調整することができる。
【００３７】
上述した日焼け防止用着衣は、次の通りにして着用することができる。この着衣を着用するには、胸被覆部２の装着部１６，１８の面ファスナー２０，２２を外すとともに、首被覆部４の面ファスナー４０，４２を外し、かかる状態にて、胸被覆部２の背面側から両手を袖部６，８を通し、その後上記装着部１６，１８の面ファスナー２０，２２を装着するとともに、首被覆部４の面ファスナー４０，４２を装着すればよく、背面側から両手を通すという簡単な動作でもって容易に着用することができる。
【００３８】
この着用状態においては、胸被覆部２の胸被覆本体部１０が着用者の胸を覆い、その肩被覆部１２，１４が着用者の両肩を覆い、また首被覆部４は着用者の首を覆う。また、袖部６，８は着用者の両腕を覆い、手甲被覆部５０，５２は両手の手甲を覆う。従って、着用者の胸、首、腕及び手甲が太陽からの紫外線に晒されることがなく、これの部位の日焼けを防止することができる。
【００３９】
尚、着衣を脱ぐときには、胸被覆部２の装着部１６，１８の面ファスナー２０，２２を外すとともに、首被覆部４の面ファスナー４０，４２を外し、かかる状態にて、両腕を袖部６，８から抜けばよく、簡単に脱ぐことができる。
【００４０】
以上、本発明に従う日焼け防止用着衣の一実施形態について説明したが、本発明の範囲を逸脱することなく種々の変形乃至修正が可能である。
【図面の簡単な説明】
【００４１】
【図１】一実施形態の日焼け防止用着衣を示す正面図。
【図２】図１の日焼け防止用着衣を示す背面図。
【図３】図１の日焼け防止用着衣から首被覆部を取り外した状態を示す正面図。
【図４】図１の日焼け防止用着衣の手甲被覆部及びその近傍を示す斜視図。
【図５】図５（ａ）は、図４の手甲被覆部を示す部分斜視図、図５（ｂ）は、図４の手甲被覆部の作り方を説明するための部分斜視図。
【図６】変形形態の手甲被覆部及びその近傍を示す斜視図。
【図７】図６の手甲被覆部を示す部分斜視図。
【図８】図１の日焼け防止用着衣の首被覆部を一部外した状態で示す斜視図。
【図９】図８の首被覆部を展開して示す展開図。
【図１０】首被覆部の一部を断面で示す断面図。
【符号の説明】
【００４２】
２  胸被覆部
４  首被覆部
６，８  袖部
１０  胸被覆本体部
１２，１４  肩被覆部
１５  スリット
１６，１８  装着部
２４  第１首被覆部
２６  第２首被覆部
５０，５０Ａ，５２  手甲被覆部
６６  第１伸縮部
６８  第２伸縮部
【図１】
2007321251.tif 000003
【図２】
2007321251.tif 000004
【図３】
2007321251.tif 000005
【図４】
2007321251.tif 000006
【図５】
2007321251.tif 000007
【図６】
2007321251.tif 000008
【図７】
2007321251.tif 000009
【図８】
2007321251.tif 000010
【図９】
2007321251.tif 000011
【図１０】
2007321251.tif 000012